(57)【要約】  堤防又は都市環境のための、道路舗装として使用する排水ブロックが、排水性及び水緩衝性を備えている。この排水ブロックは、排水性及び水緩衝性を備えた多孔質／水透過性の舗装石又はクリンカーを有し、都市部で舗装として、或いは、道路層下の基礎又は下部構造として使用され得る。この排水ブロックは、４つの側面、ベース、及び、スラブとベースとを接続する単一のステムを備えている。ステムは、前記スラブの断面積及び前記ベースの断面積よりも小さい断面積を有し、これにより、前記スラブと前記ベースとの間に水緩衝空間を形成している。また、前記スラブの前記４つの側面の各々が、単一のスペーシング突出部を含む。
2020506318.tif 000002
【特許請求の範囲】
【請求項１】
堤防又は都市空間の舗装又は下部構造として使用するための排水ブロックであって、
他のブロックに接続するための４つの側面を有するスラブと、
ベースと、
前記スラブと前記ベースとを接続する単一のステムとを備え、当該ステムが、前記スラブの最小断面積及び前記ベースの最小断面積よりも小さい断面積を有し、それにより前記スラブと前記ベースとの間に中空の空間を形成し、且つ
前記スラブの前記４つの側面の各々が単一のスペーシング突出部を含み、これにより、２つのブロックが互いに隣接して配置されたときに、第１のブロックの前記スラブの１つの側面の前記単一のスペーシング突出部が、第２のブロックの前記スラブの１つの側面の前記単一のスペーシング突出部に接触し、それにより、スラブ排水開口部を、前記２つのスラブ間に、前記接触しているスペーシング突出部の両側にて形成する、排水ブロック。
【請求項２】
前記スラブの各側面上の前記単一のスペーシング突出部が前記側面上に２つの凹部を画成し、前記２つの凹部の表面に沿って画成された面が、前記スペーシング突出部の表面に沿って画成された面に平行であり、これにより、４つのブロックがほぼ正方形の配列で互いに接続されたときに、ほぼ十字形の断面を有するスラブ排水開口部が前記４つのブロックの間に形成される、請求項１に記載の排水ブロック。
【請求項３】
前記ベースが４つの側面を有し、前記ベースの前記４つの側面の各々が単一のスペーシング突出部を含み、これにより、２つの前記ブロックが互いに隣接して配置されたときに、第１のブロックの前記ベースの１つの側面の前記単一のスペーシング突出部が、第２のブロックの前記ベースの１つの側面の前記単一のスペーシング突出部に接触し、それにより、ベース排水開口部を、前記２つのブロックの前記２つのベース間に、前記接触しているスペーシング突出部の両側にて形成し、且つ、前記ベースの各側面上の前記単一のスペーシング突出部が２つの凹部を前記側面上に画成し、前記２つの凹部の表面に沿って画成された面が、前記スペーシング突出部の表面に沿って画成された面に対して平行であり、これにより、４つのブロックがほぼ正方形の配列で互いに接続されたときに、ほぼ十字形の断面を有する排水開口部が前記４つのブロックの間に形成される、請求項１〜２のいずれかに記載の排水ブロック。
【請求項４】
前記スラブの前記スペーシング突出部が前記ベースの前記スペーシング突出部に位置合わせされている、請求項３に記載の排水ブロック。
【請求項５】
前記スラブ上の前記スペーシング突出部が前記ベース上の前記スペーシング突出部に位置合わせされていない、請求項３に記載の排水ブロック。
【請求項６】
前記ステムがその延在部全体にわたって円形断面を有し、当該円形断面が最大長さを有し、当該最大長さが、前記スラブに向かって、及び前記ベースに向かってより大きくなり、それにより、前記スラブと前記ベースとの間に湾曲面を画成している、請求項１〜５のいずれかに記載の排水ブロック。
【請求項７】
前記ステムがその延在部全体にわたって楕円形断面を有し、当該楕円形断面が最大長さを有し、当該最大長さが、前記スラブに向かって、及び前記ベースに向かってより大きくなり、それにより、前記スラブと前記ベースとの間に湾曲面を画成している、請求項１〜５のいずれかに記載の排水ブロック。
【請求項８】
前記ステムがその延在部全体にわたって矩形断面を有し、当該矩形断面が最大長さを有し、当該最大長さが、前記スラブに向かって、及び前記ベースに向かってより大きくなり、それにより、前記スラブと前記ベースとの間に湾曲面を画成している、請求項１〜５のいずれかに記載の排水ブロック。
【請求項９】
前記断面の最大長さが前記スラブに向かって最大になっている、請求項６〜８のいずれかに記載の排水ブロック。
【請求項１０】
前記ブロックがモノリシックである、請求項１〜９のいずれかに記載の排水ブロック。
【請求項１１】
前記スラブと前記ベースとが同一の高さを有する、請求項１〜１０のいずれかに記載の排水ブロック。
【請求項１２】
前記ベースが前記スラブよりも大きい高さを有する、請求項１〜１１のいずれかに記載の排水ブロック。
【請求項１３】
前記ベースが、前記ベースを上側ベース部と下側ベース部とに分割する周方向溝を有する、請求項１３に記載の排水ブロック。
【請求項１４】
前記上側ベース部が４つの側面を有し、且つ、前記４つの側面のうちの２つの側面上にスペーシング突出部を有する、請求項１３に記載の排水ブロック。
【請求項１５】
堤防又は都市空間の舗装又は下部構造として使用するためのストリップ排水ブロックであって、
スラブと、ベースと、前記スラブ及び前記ベースを接続する複数のステムとを備え、当該複数のステムの各々が、前記スラブ及び前記ベースの最小断面積よりも小さい断面積を有し、前記スラブ及び前記ベースが、各々、２つの長手方向面を含み、各長手方向面が複数のスペーシング突出部を含む、ストリップ排水ブロック。
【請求項１６】
前記複数のステムの各々が、その延在部全体にわたって円形断面を有し、当該円形断面が最大長さを有し、当該最大長さが、前記ベースに向かって、及び前記スラブに向かってより大きくなり、それにより、前記スラブと前記ベースとの間に湾曲面を画成している、請求項１５に記載のストリップ排水ブロック。
【請求項１７】
前記複数のステムの各々が、その延在部全体にわたって楕円形断面を有し、当該楕円形断面が最大長さを有し、当該最大長さが、前記ベースに向かって、及び前記スラブに向かってより大きくなり、それにより、前記スラブと前記ベースとの間に湾曲面を画成している、請求項１５に記載のストリップ排水ブロック。
【請求項１８】
前記複数のステムの各々が、その延在部全体にわたって矩形断面を有し、当該矩形断面が最大長さを有し、当該最大長さが、前記ベースに向かって、及び前記スラブに向かってより大きくなり、それにより、前記スラブと前記ベースとの間に湾曲面を画成している、請求項１５に記載のストリップ排水ブロック。
【請求項１９】
前記複数のステムが少なくとも５つのステムを含む、請求項１５〜１８のいずれかに記載のストリップ排水ブロック。
【請求項２０】
前記複数のステムのうちの２つが外側ステムであり、当該２つの外側ステムが前記ブロックの２つの平坦な横方向端部を画成している、請求項１５に記載のストリップ排水ブロック。
【請求項２１】
前記複数のスペーシング突出部が、前記スラブ及び前記ベースに沿って凹部を画成し、且つ、前記複数のスペーシング突出部の各々が長さを有し、当該長さが、前記複数のステムの各々の最小断面の最大長さ以下である、請求項１５〜２０のいずれかに記載のストリップ排水ブロック。
【請求項２２】
前記複数のスペーシング突出部の各々が前記複数のステムのうちの１つに位置合わせされている、請求項１５〜２１のいずれかに記載のストリップ排水ブロック。
【請求項２３】
前記ブロックがコンクリートからつくられる、請求項１〜２２のいずれかに記載の排水ブロック。
【請求項２４】
前記ブロックが、ハーフスラブ、ハーフステム、及びハーフベース、並びに１つの平坦面を各々が含む２つのハーフブロックから構成され、当該ハーフブロックが、それぞれの平坦面に沿って、前記排水ブロックの中央長手方向面に対して対称であるように互いに隣接して配置されている、請求項１〜２３のいずれかに記載の排水ブロック。
【請求項２５】
請求項１〜２４のいずれかに記載の排水ブロックを製造するための方法であって、前記排水ブロックを、金型を使用して形成するステップを含む方法。
【請求項２６】
前記排水ブロックが、２つのハーフブロックを隣接させることにより形成され、前記ハーフブロックが金型を使用して形成される、請求項２５に記載の方法。
【発明の詳細な説明】
【技術分野】
【０００１】
本発明は排水ブロックに関し、特に、都市環境で使用するための排水ブロックに関する。また、本発明は、堤防で使用するための排水ブロックにも関する。
【背景技術】
【０００２】
排水ブロックは、ベースユニット及びトップユニットを備えた排水体を開示している特許文献１から公知である。ベースユニットとトップユニットとは、円錐台形又は角錐台形のスペーサを介して接続されている。しかし、このような排水ブロックは、都市環境における舗装路に使用するのには適していない。なぜなら、トップユニットが多くの開口部を含む中空メッシュとして形成され、これらの開口部が、都市環境における舗装路の歩行者及びサイクリスト並びにその他のユーザにとって危険であるからである。さらに、これらのブロックは、このような開口部により、舗装に関する政府の規準の一部を満たしていない。
【先行技術文献】
【特許文献】
【０００３】
【特許文献１】米国特許出願公開第２０１２／０２５５６２４号明細書
【発明の概要】
【発明が解決しようとする課題】
【０００４】
本発明は、排水性及び水緩衝性を有する道路舗装としての堤防用排水ブロックを提供しようとするものである。また、本発明は、排水性及び水緩衝性を有する舗装として都市部で使用され得る排水ブロックを提供しようとするものである。
【課題を解決するための手段】
【０００５】
本発明の一実施形態によれば、堤防又は都市環境で使用するための排水ブロックが提供され、この排水ブロックは、４つの側面と、ベースと、スラブと前記ベースとを接続する単一のステムとを備えており、当該ステムは、前記スラブの最小断面積及び前記ベースの最小断面積よりも小さい断面積を有し、それにより、前記スラブと前記ベースとの間に水緩衝空間を形成している。また、前記スラブの前記４つの側面の各々が、単一のスペーシング突出部を含む。本明細書において、用語「最小（smallest）」及び「最小（minimum）」は互換的に使用される。本明細書における用語「断面積」は、前記ブロックの中央長手方向軸に対して垂直の水平面（単数又は複数）に含まれる断面積を意味する。「中央長手方向軸」は、本明細書において、前記ブロックの最長寸法に沿った中央軸を意味する。
【０００６】
前記スペーシング突出部は任意の数の方法で構成されてもよく、例えば、単一のスペーシング突出部は、複数のサブ突出部を含んでもよい。好ましくは、前記スペーシング突出部は面を有し、この面は、前記側面の表面に沿った面に対して平行な面上に延在する。これにより、２つの前記ブロックが互いに隣接して配置されたときに、第１のブロックの前記スラブの１つの側面の前記単一のスペーシング突出部が、第２のブロックの前記スラブの１つの側面の前記単一のスペーシング突出部に接触する。この結果、スラブ排水開口部が前記２つのブロックの前記２つのスラブ間に、前記接触しているスペーシング突出部の両側にて形成される。前記スペーシング突出部の両側におけるこのような排水間隙が、ほぼ長手方向断面を有する。前記スラブと前記ベースとの間の前記中空の空間は、表面の水を受け入れて水をゆっくりと地面に放出することにより緩衝させ、又は、受け入れられた表面の水の方向を変えるためのものである。本明細書において「表面の水」とは、降雨、又は、水域（天然又は人工の）からの波から発生される任意の流体を意味する。
【０００７】
例示的な実施形態において、前記排水ブロックは、２０ｃｍ〜６０ｃｍの間の高さを有し得る。前記排水ブロックの上述の水緩衝能力は、２０ｃｍブロックの場合の０．１０ｍ3／ｍ2（又は１００リットル／ｍ2）〜６０ｃｍブロックの場合の０．４２ｍ3／ｍ2（又は４２０リットル／ｍ2）である。これらの寸法の各々、及び水緩衝能力は、本発明の範囲から逸脱せずに、より小さくてもより大きくてもよい。前記排水ブロック間の前記中空の空間は、一般的に使用される下水道検査及び清掃装置により検査及び清掃されるように十分に大きい。
【０００８】
一実施形態において、前記スラブの各側面上の前記単一のスペーシング突出部が、前記側面上に２つの凹部を形成又は画成し、当該２つの凹部の表面に沿って画成された面が、前記スペーシング突出部の表面に沿って画成された面に対して平行であり、これにより、４つのブロックがほぼ正方形の配列で互いに接続されたときに、ほぼ十字形の断面を有するスラブ排水開口部が前記４つのブロックの間に形成される。前記凹部は、前記側面の、スペーシング突出部を含まない部分により形成される。前記排水スペース（又は間隙）の寸法は、前記ブロックが都市環境で舗装として使用される場合に歩行者及び自転車がスラブの上を安全に通行可能なような寸法である。
【０００９】
一実施形態において、前記スペーシング突出部は、凹部（すなわち、前記側面の、前記スペーシング突出部を含まない部分）に対する深さ又は厚さを有する。この深さ又は厚さは、ブロックが互いに隣接してして配置されたときに、要求される容量を所定時間内に排出するのに十分な寸法の排水間隙が形成されるような深さ又は厚さである。例示的な実施形態において、前記スペーシング突出部は４ｍｍの深さ又は幅を有し、隣接する２つのスペーシング突出部により形成された排水間隙は８ｍｍである。これが、有利なことに、歩行者及び自転車（及びその他の種類の交通）がスラブの上を危険なく安全に通行可能なように前記スペーシングの寸法を保持しつつ、排水が行われることを可能にする。
【００１０】
一実施形態において、前記ベースは４つの側面を有し、前記ベースの前記４つの側面の各々が単一のスペーシング突出部を含み、これにより、２つの前記ブロックが互いに隣接して配置されたときに、第１のブロックの前記ベースの１つの側面の前記単一のスペーシング突出部が、第２のブロックの前記ベースの１つの側面の前記単一のスペーシング突出部に接触し、それにより、ベース排水開口部を、前記接触しているスペーシング突出部の両側に形成する。前記ベースの各側面上の前記単一のスペーシング突出部が２つの凹部を前記側面上に画成し、当該２つの凹部の表面に沿って画成された面が、前記スペーシング突出部の表面に沿って画成された面に対して平行であり、これにより、４つのブロックがほぼ正方形の配列で互いに接続されたときに、ほぼ十字形の断面を有する排水開口部が前記４つのブロックの間に形成される。
【００１１】
前記スペーシング突出部は、好ましくは、前記側面の長さに等しい長さを有する。前記スペーシング突出部の長さは、例えば、前記側面の長さの２５％又は５０％であってもよい。
【００１２】
一実施形態において、前記スラブの前記スペーシング突出部は、前記ベースの前記スペーシング突出部に位置合わせされている。すなわち、前記スラブのスペーシング突出部の表面と前記ベースのスペーシング突出部の表面とは同一平面に含まれる。これは、流体の排出を容易にする。なぜなら、前記スラブにより形成された前記排出開口部が、前記ベースにより形成された前記排出開口部に位置合わせされるからである。
【００１３】
代替的な実施形態において、前記スラブ上の前記スペーシング突出部は、前記ベース上の前記スペーシング突出部に合致せず、すなわち位置合わせされない。例えば、前記スペーシング突出部が前記ステムに対して挿入されてもよい。これは、前記緩衝機能又は能力の増大が望ましいブロックの用途の場合（前記ベースにより形成された前記排水間隙に到達するために、流体が前記スラブ領域から、より長い距離にわたって流れる必要があるため）、有利である。
【００１４】
一実施形態において、前記ステムは、その延在部全体にわたって円形断面（前記ステムの中央長手方向軸に対して垂直な水平面（単数又は複数）に含まれると定義する）を有し、当該円形断面の最大長さは、前記スラブに向かって、及び前記ベースに向かってより大きくなり、それにより、前記スラブと前記ベースとの間に湾曲面を画成している。円形断面を有するステムの場合の前記断面最大長さは直径に等しい。これは有利なことに、前記ブロックを通過する流体の流れを、より滑らかにする。なぜなら、前記緩衝スペースの滑らかな湾曲形状が乱流を低減させるからである。また、この湾曲形状は、表面張力作用により前記スラブの排水空間から前記ベースの排水空間へと流体が下方にガイドされる利点も有する。
【００１５】
一実施形態において、前記ステムは、その延在部全体にわたって楕円形断面（前記ステムの中央長手方向軸に対して垂直な水平面（単数又は複数）に含まれると定義する）を有し、この楕円形断面は最大長さを有し、当該最大長さは、前記スラブに向かって、及び前記ベースに向かってより大きくなり、それにより、前記スラブと前記ベースとの間に湾曲面を画成している。楕円形断面は、有利なことに、特にブロックがハーフブロックとして製造される場合、ステム内の実体をより多くするので、より大きく且つ十分な支持を提供する。
【００１６】
一実施形態において、前記ステムは、その延在部全体にわたって矩形断面（前記ステムの中央長手方向軸に対して垂直な水平面（単数又は複数）に含まれると定義する）を有し、断面は最大長さを有し、当該最大長さは、前記スラブに向かって、及び前記ベースに向かってより大きくなり、それにより、前記スラブと前記ベースとの間に湾曲面を画成している。矩形断面は、有利なことに、ブロック又はハーフブロックの、より容易で且つより費用効率的な製造を可能にする。
【００１７】
一実施形態において、前記ステムの前記断面の直径又は前記断面の最大長さは、前記スラブに向かって最大になっている。これは、前記排水ブロックが都市部で使用されたときに、交通負荷によるより多くの応力に適応することを可能にする。これに加えて、又はその代わりに、前記ステムの前記断面は、検査及び／又は洗浄装置のためのスペースを提供するために、前記ベースに向かって、より小さく（可能な限り小さく）なっている。
【００１８】
一実施形態において、前記ブロックはモノリシックである。すなわち、前記ブロックの全体がモノリシック要素として製造される。これは、金型を使用することにより達成され得る。モノリシックに又は一体的に形成されたブロックは、ブロックにより覆われ又は舗装されるべき領域又は地形上での組立時間を短縮するため、有利である。本明細書において、「モノリシック」とは、単一の材料片から形成されるブロックを意味する。
【００１９】
別の実施形態において、前記スラブと前記ベースとは同一の高さを有する。前記スラブ及び前記ベースの高さは、例えば４０ｃｍ又は４５ｃｍであり得る。前記スラブと前記ベースとが異なる厚さを有してもよく、例えば、前記スラブの高さが４５ｃｍで、前記ベースの高さが４０ｃｍであってもよい。このような実施形態は、特に都市環境に適しているであろう。都市環境では、波及び波の力を受けず、前記ブロックにより提供される抵抗がそれほど高い必要がないからである。都市環境においては、ベースとスラブの重量がほぼ等しいことを特徴とするブロックが、十分に安定的である。
【００２０】
一実施形態において、前記ベースの高さは前記スラブの高さよりも高い。これは、有利なことに、より大きい抵抗（特には、堤防、又は、波及び波の力にさらされ得るその他の任意の領域での使用に適した抵抗）を有するブロックを提供する。また、これは、地形の傾斜又は坂を考慮して、変位に対するより大きい抵抗が必要な場合にも有利である。
【００２１】
一実施形態において、前記ベースは、前記ベースを上側ベース部（上側ベースセクション）と下側ベース部（下側ベースセクション）とに分割する周方向溝を有する。この溝は、小さい割栗石を詰めたときに、前記ブロックの固定を有利に高める。このような実施形態は、堤防での使用に特に適しているであろう。前記サブセクションは、互いに完全には分離されていない。
【００２２】
さらなる実施形態において、前記上側ベース部（前記周方向溝により形成されるような）は、前記上側サブセクションと同一の高さを有し得るスペーシング突出部を有する。これは、有利なことに、前記ブロック間の位置合わせの指標として機能するため、覆われるべき領域における前記ブロックの組立を容易にする。また、特には、前記上側ベース部のスペーシング突出部（単数又は複数）が、前記スラブの前記スペーシング突出部と同一の深さを有する場合、前記空間が、前記スラブ上に設けられた前記スペーシング突出部により形成されることを補助する。
【００２３】
本発明の別の態様によれば、ストリップ排水ブロックが提供される。このストリップ排水ブロックは、スラブと、ベースと、前記スラブと前記ベースとを接続する複数のステムとを備え、当該複数のステムの各々が、前記スラブ及び前記ベースの最小断面積よりも小さい断面積を有する。前記スラブ及び前記ベースは、各々、２つの長手方向面を含み、各長手方向面が、複数のスペーシング突出部を含む。このようなブロックは、より大きい寸法により、組立又は所定領域の舗装が容易になるため、有利である。前記複数のステムは、任意の個数のステムを含み、例えば、少なくとも２つのステムを含み得る。或いは、前記複数のステムは、少なくとも３つのステムを含み得る。好ましくは、前記複数のステムは、少なくとも４つ〜５つのステムを含み得る。これは、有利なことに、排水ブロック舗装の組立に必要な時間を短縮する。特に、５つ又は少なくとも５つのステムを有するブロック（又はハーフブロック）が、より強固で且つ製造がより容易である。
【００２４】
一実施形態において、前記ストリップ排水ブロックの前記複数のステムの各々が、その延在部全体にわたって円形の断面（本明細書において「断面」は、前記ステムの中央長手方向軸に対して垂直な水平面（単数又は複数）に含まれるものと定義される）を有し、当該円形断面の直径は、前記ベースに向かって、及び前記スラブに向かって、より大きくなり、それにより、前記スラブと前記ベースとの間に湾曲面を画成している。これは、有利なことに、前記ブロックを通過する流体の流れを、より滑らかにする。なぜなら、前記緩衝スペースの滑らかな湾曲形状が乱流を低減させるからである。また、この湾曲形状は、表面張力作用により、前記スラブの排水空間から前記ベースの排水空間へと流体が下方にガイドされる利点も有する。
【００２５】
代替的な実施形態において、前記ストリップ排水ブロックの前記複数のステムの各々が、その延在部全体にわたって楕円形の断面（本明細書において「断面」は、前記ステムの中央長手方向軸に対して垂直な水平面（単数又は複数）に含まれるものと定義される）を有し、この楕円形断面は最大長さを有し、当該最大長さは、前記ベースに向かって、及び前記スラブに向かってより大きくなり、それにより、前記スラブと前記ベースとの間に湾曲面を画成している。湾曲形状が、前記スラブに加えられる負荷を効率的に方向付ける。これは、前記ブロックに加えられる圧力が分散されるからであり、この分散とは、前記圧力のより高い領域においては材料を維持しながら材料を可能な限り節約できるような分散である。
【００２６】
さらなる実施形態において、前記複数のステムの各々が、その延在部全体にわたって矩形の断面（本明細書において、「断面」は、前記ステムの中央長手方向軸に対して垂直な水平面（単数又は複数）に含まれるものと定義される）を有し、この矩形断面は最大長さを有し、当該最大長さは、前記ベースに向かって、及び前記スラブに向かって、より大きくなり、これにより、前記スラブと前記ベースとの間に湾曲面を画成している。湾曲形状が、前記スラブに加えられる負荷を効率的に方向付ける。これは、前記ブロックに加えられる圧力が分散されるからであり、この分散とは、前記圧力のより高い領域においては材料を維持しながら材料を可能な限り節約できるような分散である。
【００２７】
さらなる実施形態において、前記複数のステムのうちの２つが、前記ブロックの２つの平坦な横方向端部を画成する外側ステムであり、この外側ステムは、半円形、半楕円形、又は半矩形の断面（上述のようなストリップ排水ブロックの、前記複数のステムの断面積により定義されるタイプによる）を含む。本明細書において、「半円形」の断面及び「半楕円形」の断面とは、円の半分の形状の断面及び楕円の半分の形状の断面を意味する。本明細書において、「半矩形」の断面とは、外側ステムの断面積が、外側ステムではないステムの断面積のほぼ半分であることを意味する。
【００２８】
前記ブロックが２つの部分（すなわち２つのハーフブロック）で提供される場合、対応する外側ステムは、楔形状の断面（半円の半分に対応する）、又は、楕円の４分の１の形状の断面、又は、矩形の４分の１の形状の断面を有することになる。これらの形状は、ストリップ排水ブロックのタイプ（前記複数のステムの断面により定義される）によって決まる。排水ブロックの、外側ステムを含む横方向端部は、隣接するストリップ排水ブロックを接続するための面を提供する平坦な面により特徴付けられる。前記横方向端部は、好ましくは、隣接する２つのストリップ排水ブロック間の、より安定した接続が達成されるように平坦である。
【００２９】
一実施形態において、前記複数のスペーシング突出部は、前記スラブ及び前記ベースに沿って凹部を画成する。本明細書において、用語「凹部」は、前記スラブ及び前記ベースの、スペーシング突出部を含まない部分（すなわち、これらの部分は前記スペーシング突出部に対して凹んでいる）を示すために用いられる。前記複数のスペーシング突出部の各々は、前記複数のステムの各々の最小断面の直径又は最大長さ以下の長さを有し得る。代替的に又は付加的に、前記複数のスペーシング突出部の各々は、前記ベース及びスラブの長手方向面の長さに対する比として定義される長さを有し、例えば、各スペーシング突出部は、前記スラブ又はベースの長手方向面の長さの１５％の長さを有し得る。前記複数のスペーシング突出部の各々は、前記ベース及びスラブ上の前記凹部に対する、例えば３ｍｍの深さ（又は厚さ）を有し得る。当該深さ又は厚さは、前記排水間隙又はスペーシングの所望の寸法に応じて、より大きくても又は小さくてもよい。間隙がより大きければ、排水速度が増大する。
【００３０】
一実施形態において、前記複数のスペーシング突出部の各々が、前記複数のステムのうちの１つに位置合わせされている。或いは、前記スペーシング突出部は、前記ステムに位置合わせされないように配置されてもよい。例えば、前記スペーシング突出部は前記ステムに挿入されてもよい。前記スペーシング突出部の個数は前記ステムの個数に関連し得る。例えば、ストリップ排水ブロックにおいて、全体として、１つのステムごとに好ましくは２つのスペーシング突出部が設けられ、また、ストリップ排水ブロックにおいて、ハーフブロックとして、１つのステムごとに１つのスペーシング突出部が設けられる。これが、隣接するブロックを離間させるのに十分な能力を提供する。
【００３１】
一実施形態において、本発明による排水ブロックは、ジオポリマーコンクリートを含むコンクリートからつくられる。前記ブロック（及びハーフブロック）をコンクリートから製造することにより、より強いブロックが得られ、具体的には、トップ又はカバー層（例えば、排水砂又は他のそのようなトップ層）を必要とせずに舗装として使用され得るブロックが得られる。前記排水ブロックを基礎／下部構造として使用する場合、本発明によるブロックの強度のおかげで、前記排水ブロックを覆うトップ層又はカバー層の厚さは、公知のブロックでの場合よりもはるかに薄くてよい。前記ブロック及びハーフブロックを製造するためのその他の材料、例えば、焼粘土又はプラスチックを用いることも可能である。
【００３２】
好ましい実施形態において、前記排水ブロックは、ハーフスラブ、ハーフステム、及びハーフベース、並びに１つの平坦面を各々が含む２つのハーフブロックから構成される。当該ハーフブロックは、それぞれの平坦面に沿って、前記排水ブロックの中央長手方向面に対して対称であるように互いに隣接して配置される。このように、２つのハーフ排水ブロックを接合することにより、１つの完全な排水ブロックが形成される。本明細書において、「２つのハーフブロックを接合する」とは、２つのハーフブロックをそれらの平坦面に沿って互いに隣接させて（セメントなどの接着剤を用いて又は用いずに）配置するという意味である。好ましくは、前記ハーフブロックは、接着剤を使用せずに隣接される。
【００３３】
本発明のさらなる態様によれば、上述の排水ブロックを製造するための、金型を使用して前記排水ブロックを形成するステップを含む方法が提供される。これにより、ブロックの製造が容易になる。こうして、本明細書に記載する物理的及び寸法的態様に準拠した金型が準備され、この金型に、前記排水ブロックを形成するために選択された材料が充填される。
【００３４】
さらなる実施形態において、前記排水ブロックは、２つのハーフブロックを（以上に定義したように）隣接させることにより形成され、前記ハーフブロックは、金型を使用することにより形成される。
【００３５】
以下に本発明を、添付図面を参照しつつ、より詳細に説明する。
【図面の簡単な説明】
【００３６】
【図１Ａ】本発明の一態様による排水ブロックを示す図の１つである。
【図１Ｂ】本発明の一態様による排水ブロックを示す図の１つである。
【図１Ｃ】本発明の一態様による排水ブロックを示す図の１つである。
【図２】本発明の一態様による排水ブロックを複数配置した状態の図である。
【図３Ａ】本発明の別の態様による排水ブロックを示す図の１つである。
【図３Ｂ】本発明の別の態様による排水ブロックを示す図の１つである。
【図３Ｃ】本発明の別の態様による排水ブロックを示す図の１つである。
【図４】本発明による排水ブロックを複数配置した状態の図である。
【図５Ａ】本発明の一態様によるストリップ排水ブロックを示す図の１つである。
【図５Ｂ】本発明の一態様によるストリップ排水ブロックを示す図の１つである。
【図６Ａ】本発明によるストリップ排水ブロックを示す図の１つである。
【図６Ｂ】本発明によるストリップ排水ブロックを示す図の１つである。
【図７Ａ】本発明の別の態様によるストリップ排水ブロックを示す図の１つである。
【図７Ｂ】本発明の別の態様によるストリップ排水ブロックを示す図の１つである。
【図８Ａ】本発明の別の態様によるストリップ排水ブロックを示す図の１つである。
【図８Ｂ】本発明の別の態様によるストリップ排水ブロックを示す図の１つである。
【発明を実施するための形態】
【００３７】
図１Ａは、本発明の一実施形態による排水ブロック１００の不等角投影図を示す。排水ブロック１００は、スラブ１０２、単一のステム１０４、及びベース１０６を備えている。図１Ｂは、排水ブロック１００の側面図を示す。図１Ｃは、排水ブロック１００の別の側面図及び断面ＩＩ−ＩＩを示す。ステムの断面。ブロック１００は高さＨ１を有する。スラブ１０２は高さＨ２を有し、ベース１０６は高さＨ３を有する。図示されている実施形態において、スラブとベースとは同一の高さを有する（すなわち、Ｈ２＝Ｈ３）。ステム１０４は、長さＤ及び幅Ｒにより特徴付けられる半楕円形の断面を有し、ＤはＲよりも大きい。半楕円形の断面は、ほぼ中央の領域から、ベース１０６及びスラブ１０２の両方に向かって増大する。しかしその増大は、スラブ１０２に向かっての方が、より大きい。
【００３８】
図２は、複数のブロック１００の配列２００を示す。図に見られるように、４つのブロック１００をほぼ正方形の配列で隣接させると、ほぼ十字形の排水ギャップ又はスペース２０２が形成される。ブロックは、１つのブロックのスペーシング突出部が別のブロックのスペーシング突出部に隣接するように隣接される。この場合、１つのブロックのベース及びスラブの両方のスペーシング突出部が、別のブロックのベース及びスラブのそれぞれのスペーシング突出部に隣接する。
【００３９】
図３Ａは、堤防で使用するためのブロック３００の不等角投影図を示す。ブロック３００は、スラブ３０２、単一のステム３０４、及び、ベース３０６を備えている。ベース３０６は、周方向溝３０８により上側ベース部３０６ａと下側ベース部３０６ｂとに分割されている。上側ベース部３０６ａは、その４つの面のうちの２つの面上にスペーシング突出部３１０を有する。
【００４０】
図３Ｂは、ブロック３００の側面図を示す。図３Ｃは、別の側面図、及び、面ＩＩ−ＩＩに沿った断面図を示す。ブロック３００は、上側ベース部３０６ａの４つの面のうちの２つの面上にスペーシング突出部３１０を有する。ブロック３００は高さＨ５を有し、スラブは高さＨ６を有する。ベースは高さＨ７を有し、上側ベース部はＨ７ａを有し、下側ベース部は高さＨ７ｂを有する。ステムは高さＨ８を有する。周方向溝が、高さＨ９及び深さＤを有する。ステム３０４は中央水平面に対して対称であり、中央領域からスラブ３０２及びベース３０６に向かって寸法が等しく増大している。
【００４１】
図４は、複数のブロック３００を配列した状態を示す。図に見られるように、４つのブロック３００をほぼ正方形の配列で隣接させると、ほぼ十字形の排水ギャップ又はスペース４０２が、スラブのスペーシング突出部によって形成されることになる。ブロックは、１つのブロックのスペーシング突出部が別のブロックのスペーシング突出部に隣接するように隣接される。この場合、各ブロックのベースは２つのスペーシング突出部３１０のみを有し、これらの突出部３１０は、上側ベース部３０６ａの対向面上に配置されている。
【００４２】
図５Ａは、本発明の一実施形態によるストリップ排水ハーフブロック５００を示す。ブロック５００は、スラブ５０２とベース５０４との間に配置された４つの離間されたステム５０６を含む。ベース及びスラブは、それぞれ、ステム５０６に位置合わせされたスペーシング突出部５１０及びスペーシング突出部５１２を有する。スラブは、２つの長手方向面５０２を有し、ベースは２つの長手方向面５０４を有する。図５Ｂは、ブロック５００の他側を示す。ブロック５００は、高さＨＳ１及び長さＬＳ１を有する。
【００４３】
図６Ａは、スラブ６０６及びベース６０８を有するストリップ排水ハーフブロック６００を示し、スラブ６０６が２つの長手方向面６１４を有し、ベース６０８が２つの長手方向面６１６を有する。複数のステム６０３がスラブ６０６とベース６０８との間に配置されている。この実施形態において、ストリップブロックは、２つの外側ステム６０４ａ，６０４ｂを有し、また、２つの平坦な横方向端部６０２を有する。スラブ６０６はその長手方向面の１つに沿ってスペーシング突出部６１２を有し、ベース６０８はその長手方向面の１つに沿ってスペーシング突出部６１０を有する。図６Ｂは、ストリップハーフブロック６００の他側を示している。
【００４４】
図７Ａは、ベース７０６及びスラブ７０２を有するストリップ排水ブロック７００を示す。複数のステム７０４がスラブ７０２とベース７０６との間に配置されている。スラブは２つの長手方向面７１２を有し、ベースは２つの長手方向面７１４を有する。複数のスペーシング突出部７１０及び７０８が、前記長手方向面に沿って配置されている。図７Ｂは、ブロック７００の他側を示している。
【００４５】
図８Ａは、ベース８０６及びスラブ８０２を有するストリップ排水ブロック８００を示す。合計で５つのステム８０４がスラブ８０２とベース８０６との間に配置されている。スラブは２つの長手方向面８１２を有し、ベースは２つの長手方向面８１４を有する。複数のスペーシング突出部８１０及び８０８が前記長手方向面に沿って配置されている。図８Ｂは、ブロック８００の他側を示している。
【００４６】
本発明を、図面に示したような多数の例示的な実施形態に関して説明してきた。幾つかの部分又は要素の修正及び代替的な実施が可能であり、それらは、添付の特許請求の範囲で定義される保護範囲に含まれる。
【符号の説明】
【００４７】
１００  排水ブロック
１０２  スラブ
１０４  ステム
１０６  ベース
３００  ブロック
３０６ａ  上側ベース部
３０６ｂ  下側ベース部
３０８  周方向溝
３１０  スペーシング突出部
５０２  スラブ
５０４  ベース
６０２  横方向端部
６０４ａ  外側ステム
６０４ｂ  外側ステム
【図１Ａ】
2020506318.tif 000003
【図１Ｂ】
2020506318.tif 000004
【図１Ｃ】
2020506318.tif 000005
【図２】
2020506318.tif 000006
【図３Ａ】
2020506318.tif 000007
【図３Ｂ】
2020506318.tif 000008
【図３Ｃ】
2020506318.tif 000009
【図４】
2020506318.tif 000010
【図５Ａ】
2020506318.tif 000011
【図５Ｂ】
2020506318.tif 000012
【図６Ａ】
2020506318.tif 000013
【図６Ｂ】
2020506318.tif 000014
【図７Ａ】
2020506318.tif 000015
【図７Ｂ】
2020506318.tif 000016
【図８Ａ】
2020506318.tif 000017
【図８Ｂ】
2020506318.tif 000018
【国際調査報告】
2020506318.tif 000019
2020506318.tif 000020
2020506318.tif 000021